(57)【特許請求の範囲】
【請求項１】
ＰＯＳ装置と、前記ＰＯＳ装置に接続されるプリペイドカード処理機と商品販売機を有し、販売行為の終了まで販売品の量や金額が確定しない商品の販売形態における非接触プリペイドカードを使用する販売システムにおける釣銭処理方法であって、
前記非接触プリペイドカードは、少なくとも当該非接触プリペイドカードを他と区別する識別ＩＤと、商品購入可能残高と、お釣通番を含むカード情報データを有し、
前記商品の供給前において、前記プリペイドカード処理機により商品の購入を希望する顧客の前記非接触プリペイドカードのカード情報データを読み取り、前記ＰＯＳ装置により前記顧客により指定される購入予定相当額を前記非接触プリペイドカードの商品購入可能残高から引き落とし、更新した商品購入可能残高を前記プリペイドカード処理機により前記非接触プリペイドカードに書込み、
前記商品販売機により、前記ＰＯＳ装置により引き落とした購入予定相当額を限度とする商品の供給制御を行い、
前記商品販売機による前記商品の供給制御の終了に伴って、前記ＰＯＳ装置により前記購入予定相当額と実供給額との差額である釣銭額を計算し前記識別ＩＤに対応して前記釣銭額とカード情報データに有したお釣通番とを記憶し、
前記プリペイドカード処理機による前記識別ＩＤが一致する前記非接触プリペイドカードが再度読み取られた際に、当該非接触プリペイドカードのカード情報データに有するお釣通番と、前記ＰＯＳ装置により前記識別ＩＤに対応して前記釣銭額とともに記憶されたお釣通番とが一致するときに、前記カード情報データに有するお釣通番を歩進し、前記記憶された釣銭額を前記カード情報データに有する商品購入可能残高に加算して前記非接触プリペイドカードのカード情報データを更新する、
ことを特徴とする非接触プリペイドカードを使用する販売システムにおける釣銭処理方法。
【請求項２】
ＰＯＳ装置と、前記ＰＯＳ装置に接続されるプリペイドカード処理機と商品販売機を有し、販売行為の終了まで販売品の量や金額が確定しない商品の販売形態における非接触プリペイドカードを使用する販売システムにおける釣銭処理方法であって、
前記非接触プリペイドカードは、少なくとも当該非接触プリペイドカードを他と区別する識別ＩＤと、商品購入可能残高と、売上通番と、お釣通番を含むカード情報データを有し、
前記商品の供給前において、前記プリペイドカード処理機により商品の購入を希望する顧客の前記非接触プリペイドカードのカード情報データを読取り、前記ＰＯＳ装置により前記顧客により指定される購入予定相当額を前記非接触プリペイドカードの商品購入可能残高から引き落とし、その都度前記カード情報データの売上通番を歩進させ、更新した商品購入可能残高と歩進した売上通番とを前記プリペイドカード処理機により前記非接触プリペイドカードに書込み、
前記商品販売機により、前記ＰＯＳ装置により引き落とした購入予定相当額を限度とする商品の供給制御を行い、
前記商品販売機による前記商品の供給制御の終了に伴って、前記ＰＯＳ装置により前記購入予定相当額と実供給額との差額である釣銭額を計算し前記識別ＩＤに対応して前記釣銭額と前記歩進された売上通番とを記憶し、
前記商品の供給後に、前記プリペイドカード処理機により前記識別ＩＤが一致する前記非接触プリペイドカードが再度読取られた際に、当該非接触プリペイドカードのカード情報データに有する売上通番の、当該売上通番の初期値から歩進された差値が、前記カード情報データに有するお釣通番の、当該お釣通番の初期値から歩進された差値より大きいときに、前記ＰＯＳ装置により前記識別ＩＤに対応して記憶された前記釣銭額データのうち、前記売上通番が当該売上通番の初期値に前記カード情報データに有するお釣通番の当該お釣通番の初期値から歩進された値を加算した値よりも大きい組み合わせを抽出し、当該抽出された組み合わせに対応する釣銭額の合計を前記カード情報データに有する商品購入可能残高に加算し、前記カード情報データに有するお釣通番に対しては前記組み合わせの件数に一致する回数分お釣通番を歩進し、これら更新した商品購入可能残高とお釣通番を前記非接触プリペイドカードに書込み、釣銭額の支払いを行う、
ことを特徴とする非接触プリペイドカードを使用する販売システムにおける釣銭処理方法。
【請求項３】
請求項１又は２のいずれか１つにおいて、
前回の商品購入時に商品購入の履歴データ及び、又は商品購入者による購入時の商品の組み合わせをお好みデータとして前記非接触プリペイドカードのカード情報データに加えて登録し、
今回の顧客による商品購入の際に顧客による購入予定相当額の指定に替えて、前記履歴データ及び、又はお好みデータを表示して、前記非接触プリペイドカードの商品購入可能残高の範囲で、顧客により選択される前記履歴データ又は、お好みデータに対応する購入商品の指定を可能とする、
非接触プリペイドカードを使用する販売システムにおける釣銭処理方法。
【請求項４】
販売行為の終了まで販売品の量や金額が確定しない商品の販売形態における非接触プリペイドカードを使用する販売システムであって、
前記非接触プリペイドカードは、少なくとも当該非接触プリペイドカードを他と区別する識別ＩＤと、商品購入可能残高と、お釣通番を含むカード情報データを有し、
商品の購入を希望する顧客の前記非接触プリペイドカードのカード情報データを読み取り、又は書き込みを行うプリペイドカード処理機と、
前記商品の供給前において、前記プリペイドカード処理機から読取った前記顧客の非接触プリペイドカードのカード情報データに有する商品購入可能残高から前記顧客により指定される購入予定相当額を引き落とし、更新した商品購入可能残高を前記プリペイドカード処理機により前記非接触プリペイドカードに書込みを行わせるＰＯＳ装置と、
前記ＰＯＳ装置により引き落とした購入予定相当額を限度とする商品の供給制御を行う商品販売機を有し、
前記ＰＯＳ装置は、前記商品販売機による前記商品の供給制御の終了に伴って、前記購入予定相当額と実供給額との差額である釣銭額を計算し前記識別ＩＤに対応して前記釣銭額とカード情報データに有したお釣通番とを記憶し、
前記プリペイドカード処理機による前記識別ＩＤが一致する前記非接触プリペイドカードが再度読み取られた際に、当該非接触プリペイドカードのカード情報データに有するお釣通番と、前記ＰＯＳ装置により前記識別ＩＤに対応して前記釣銭額とともに記憶されたお釣通番とが一致するときに、前記カード情報データに有するお釣通番を歩進し、前記記憶された釣銭額を前記カード情報データに有する商品購入可能残高に加算して前記非接触プリペイドカードのカード情報データを更新する、
ことを特徴とする非接触プリペイドカードを使用する販売システム。
【請求項５】
販売行為の終了まで販売品の量や金額が確定しない商品の販売形態における非接触プリペイドカードを使用する販売システムであって、
前記非接触プリペイドカードは、少なくとも当該非接触プリペイドカードを他と区別する識別ＩＤと、商品購入可能残高と、売上通番と、お釣通番を含むカード情報データを有し、
商品の購入を希望する顧客の前記非接触プリペイドカードのカード情報データを読み取り、又は書き込みを行うプリペイドカード処理機と、
前記商品の供給前において、前記プリペイドカード処理機から読取った前記顧客の非接触プリペイドカードのカード情報データに有する商品購入可能残高から前記顧客により指定される購入予定相当額を引き落とし、その都度前記カード情報データの売上通番を歩進させ、更新した商品購入可能残高と歩進した売上通番とを前記プリペイドカード処理機により前記非接触プリペイドカードに書込みを行わせるＰＯＳ装置と、
前記ＰＯＳ装置により引き落とした購入予定相当額を限度とする商品の供給制御を行う商品販売機を有し、
前記ＰＯＳ装置は、前記商品販売機による前記商品の供給制御の終了に伴って、前記購入予定相当額と実供給額との差額である釣銭額を計算し前記識別ＩＤに対応して前記釣銭額と前記歩進された売上通番とを記憶し、
前記商品の供給後に、前記プリペイドカード処理機により前記識別ＩＤが一致する前記非接触プリペイドカードが再度読取られた際に、当該非接触プリペイドカードのカード情報データに有する売上通番の、当該売上通番の初期値から歩進された差値が、前記カード情報データに有するお釣通番の、当該お釣通番の初期値から歩進された差値より大きいときに、前記ＰＯＳ装置により前記識別ＩＤに対応して記憶された前記釣銭額データのうち、前記売上通番が当該売上通番の初期値に前記カード情報データに有するお釣通番の当該お釣通番の初期値から歩進された値を加算した値よりも大きい組み合わせを抽出し、当該抽出された組み合わせに対応する釣銭額の合計を前記カード情報データに有する商品購入可能残高に加算し、前記カード情報データに有するお釣通番に対しては前記組み合わせの件数に一致する回数分お釣通番を歩進し、これら更新した商品購入可能残高とお釣通番を前記非接触プリペイドカードに書込み、釣銭額の支払いを行う、
ことを特徴とする非接触プリペイドカードを使用する販売システム。
【請求項６】
同一の非接触プリペイドカードの利用を可能とする複数の店舗とデータセンターとがそれぞれネットワークで接続される販売システムにおいて、
前記非接触プリペイドカードは、少なくとも当該非接触プリペイドカードを他と区別する識別ＩＤと、商品購入可能残高と、売上通番と、お釣通番を含むカード情報データを有し、
前記複数の店舗のそれぞれは、
商品の購入を希望する顧客の前記非接触プリペイドカードのカード情報データを読み取り、又は書き込みを行うプリペイドカード処理機と、
前記商品の供給前において、前記プリペイドカード処理機から読取った前記顧客の非接触プリペイドカードのカード情報データに有する商品購入可能残高から前記顧客により指定される購入予定相当額を引き落とし、その都度前記カード情報データの売上通番を歩進させ、更新した商品購入可能残高と歩進した売上通番とを前記プリペイドカード処理機により前記非接触プリペイドカードに書込みを行わせるＰＯＳ装置と、
前記ＰＯＳ装置により引き落とした購入予定相当額を限度とする商品の供給制御を行う商品販売機を有し、
前記ＰＯＳ装置は、前記商品販売機による前記商品の供給制御の終了に伴って、前記ＰＯＳ装置は前記購入予定相当額と実供給額との差額である釣銭額を計算し前記識別ＩＤに対応して前記釣銭額と前記歩進された売上通番とを記憶し、
前記商品の供給後に、前記プリペイドカード処理機により前記識別ＩＤが一致する前記非接触プリペイドカードが再度読取られた際に、当該非接触プリペイドカードのカード情報データに有する売上通番の、当該売上通番の初期値から歩進された差値が、前記カード情報データに有するお釣通番の、当該お釣通番の初期値から歩進された差値より大きいときに、前記ＰＯＳ装置により前記識別ＩＤに対応して記憶された前記釣銭額データのうち、前記売上通番が当該売上通番の初期値に前記カード情報データに有するお釣通番の当該お釣通番の初期値から歩進された値を加算した値よりも大きい組み合わせを抽出し、当該抽出された組み合わせに対応する釣銭額の合計を前記カード情報データに有する商品購入可能残高に加算し、前記カード情報データに有するお釣通番に対しては前記組み合わせの件数に一致する回数分お釣通番を歩進し、これら更新した商品購入可能残高とお釣通番を前記非接触プリペイドカードに書込み、釣銭額の支払いを行う、
ことを特徴とする非接触プリペイドカードを使用する販売システム。
【請求項７】
請求項６において、前記ＰＯＳ装置は、前記商品の供給後所定の時間に前記識別ＩＤが一致する前記プリペイドカードの読取りが発生しなかった場合において、前記識別ＩＤに対応して記憶した釣銭額と売上通番とを、前記識別ＩＤと共に釣銭データとして前記データセンターに送出し、前記データセンターは、前記複数の店舗に当該釣銭データを配信または前記複数の店舗からの問合せにより当該釣銭データを通知することにより釣銭額の支払を行う、
ことを特徴とする非接触プリペイドカードを使用する販売システム。
【請求項８】
請求項４乃至７のいずれか１つにおいて、
前記商品販売機は、燃料油給油設備であって、前記商品購入予定額が、油種及び給油量により決められる給油予定金額、もしくは一定額の給油予定金額であることを特徴とする非接触プリペイドカードを使用する販売システム。
【請求項９】
請求項４乃至７のいずれか１つにおいて、
前記カード情報データには、更に前回の商品購入時に商品購入の履歴データ及び、又は商品購入者による購入時の商品の組み合わせをお好みデータとして登録し、
今回の商品購入の際に顧客による購入予定相当額の指定に替えて、前記履歴データ及び、又はお好みデータを表示して、前記非接触プリペイドカードの残高の範囲で、顧客により選択される前記履歴データ又は、お好みデータに対応する購入商品の指定を可能とする、
ことを特徴とする非接触プリペイドカードを使用する販売システム。
【発明の詳細な説明】
【技術分野】
【０００１】
本発明は、商品販売店舗等において、商品等を購入する際の決済を非接触プリペイドカードの使用により可能とする、非接触プリペイドカードを使用する販売システムに関する。特に、非接触プリペイドカードを使用する商取引において、顧客の非接触プリペイドカードの扱いの便を考慮した釣銭処理に特徴を有する販売システムに関する。
【背景技術】
【０００２】
近年、キャッシュレス商取引即ち、現金の受け渡しを行わずに商品等の購入に対する決済を行う商取引が普及している。
【０００３】
キャッシュレス商取引の一つとして、クレジットカードによる販売システムがある。かかるクレジットカードによる商取引は、利用者が預金口座を有することを条件に信用により商品等の購入を行わせ、後に購入相当額を利用者の預金口座から引き落として、決済を完了する態様である。
【０００４】
第２の販売システムとして、プリペイドカードを使用する態様がある。顧客は一定額の取引可能の初期残高金額を保持したプリペイドカードを現金又は、クレジットにより購入し、前記プリペイドカードにより、商品等購入の都度差し引かれる残高の範囲内で商品等の購入を可能とする態様である。
【０００５】
また、プリペイドカードを使用する別の態様として、利用者により適時に現金による先払い、又はクレジットによる後払いによりプリペイドカードの残高を追加（追加チャージ）できる追加型プリペイドカードシステムがある。
【０００６】
追加型プリペイドカードシステムは、更に決済用設備に磁気的に接触させて残高の読み取り、書込更新を行わせる接触型と、非接触で残高の読み取り、書込更新を可能とする非接触型のプリペイドカードシステムに分類される。
【０００７】
非接触型のプリペイドカードを使用するシステムにおいては、利用者はプリペイドカードを読取機に非接触で近づけることで、データの読み取り更新が可能であるので、処理の迅速化及び、顧客における取り扱いの便宜を与えることができる。かかる点から非接触プリペイドカードを利用するシステムが種々の方面において普及が広がっている。
【０００８】
図１は、ガソリンスタンドにおいて磁気的に接触させて残高の読み取り、書込更新を行わせる接触型のプリペイドカードを用いる給油システムにおける清算手順の例を示すフローである。
【０００９】
顧客は先ず支払い方法を選択する（ステップＳ１）。プリペイドカード（以降、プリカと適宜略して記載する）を選択する場合、プリカを読取機に挿入する（ステップＳ２）。
【００１０】
ついで、油種を選択し（ステップＳ３）、プリカ残高の限度内で給油量または金額を指定する（ステップＳ４）。
【００１１】
その後、給油操作を行い（ステップＳ５）、給油操作を終了する（ステップＳ６）。
【００１２】
給油機は、ＰＯＳ装置と連携し、給油操作の終了時における給油量と単価から給油金額を確定し、プリカの残高から給油金額を差し引いて新たな残高に更新し、プリカに更新データを書き込み（ステップＳ７）、カード読取機からプリカを放出する（ステップＳ８）。同時に、レシートを出力する（ステップＳ９）。
【００１３】
かかる接触型プリカを使用する取引においては、プリカをカード読取機に挿入（ステップＳ２）し、取引が決済され、残高が精算されてプリカ残高が更新され（ステップＳ７）プリカが放出される（ステップＳ８）までプリカが装置内に保持されることになる。
【００１４】
これに対し、非接触型のプリカを用いるシステムの場合は、図２に示すように、支払い方法を選択し（ステップＳ１）、プリカの挿入(ステップＳ２：図１)に代え、顧客は非接触プリカを自身で保持したまま読取機にかざし、非接触プリカのデータを読み取らせ、プリカの真性のチェック及び購入可能残高の確認を受ける（ステップＳ２Ａ）。
【００１５】
ついで、油種を選択し（ステップＳ３）、給油量または金額を指定する（ステップＳ４）。その後、給油操作を行い（ステップＳ５）、給油操作を終了（ステップＳ６）すると、先に読み取られたプリカ残高データから給油量に見合う給油金額を差し引き、残高の更新をする（ステップＳ７）。
【００１６】
このとき、更新された残高を該当のプリカに反映させることが必要である。このため、顧客は、非接触プリカを再度読取機にかざし（ステップＳ８Ａ）、更新されたプリカ残高をプリカに書き込むことが必要である。プリカの残高データの更新記録が終わるとレシートを出力する（ステップＳ９）。
【００１７】
このように、図１に示す接触型プリカの取引手順に対応して、非接触プリカを用いる取引手順を適用すると、図２に示したように顧客は非接触プリカを２度読取機に近づけることが必要となる（ステップＳ２Ａ、Ｓ８Ａ）。
【００１８】
しかし、かかる一旦自身に収めたプリカを再度取り出し読取機へアクセスすることは、顧客にとって非接触プリカの便宜性を損ねることになる。
【００１９】
かかる事情からあるいは不払いの意思をもって顧客が、給油完了後に清算処理を行わずに、給油機から離れてしまうという状況が充分に想定される。
【００２０】
すなわち、顧客は（１）商品購入前に残高確認のためにカードをかざし、（２）商品受領後に再度かざして購入金額を引き落とすことになる。商品販売において、これら一連の行為を顧客に行わせた場合、二度かざすことが煩雑であるのに加えて、もしも（２）の行為を行わなかった場合、（３）代金を徴収できなくなるといった問題が生じる。
【００２１】
かかる（３）の問題を解決するために、例えば、特許文献１に記載の発明が提案されている。
【００２２】
特許文献１に記載の発明の概要を説明すると次のようである。
【００２３】
図３は、特許文献１に記載された発明の処理手順をセルフサービス方式のガソリン給油を例にして説明するフローであり、特徴として商品（ガソリン）購入の際に、顧客へのガソリン給油の前にプリカの残高を全て引き落とすことに特徴を有する。
【００２４】
すなわち、図３（Ａ）において、プリカデータを読み取り（ステップＳ１０）、利用者により入力されるパスワードによりプリカが真性か否かの認証を行なう（ステップＳ１１）。
【００２５】
ついで、プリカが使用可能であれば、プリカに記録されている残高額の全ての取得（引き落とし）を行ない、プリカ残高をゼロに更新し（ステップＳ１２）、取得したプリカ残高に対応する給油量を限度として給油を許可する（ステップＳ１３）。
【００２６】
これにより給油が行なわれる（ステップＳ１４）。給油が終了すると（ステップＳ１５）、給油量を記録したレシートを発行する（ステップＳ１６）。
【００２７】
プリカに対しては記録残高をゼロとしたまま販売装置（ＰＯＳ装置）において給油後の残高を記憶保持する（ステップＳ１７）。
【００２８】
一方、ユーザは、発行されるレシートから給油後の残高を確認すると、図３（Ｂ）に示すように、残高の返還を希望するときに、あらためて入金追加装置（チャージ装置）にプリカ情報の読取りを行なわせる（ステップＳ１８）。
【００２９】
チャージ装置は、プリカ情報に基づいて対応するプリカについての残高をＰＯＳ装置に問い合わせる（ステップＳ１９）。
【００３０】
したがって、問い合わせに対応して得られる残高をプリカに書き込むか、あるいは残高に相当する現金の払い出しを行なう（ステップＳ２０）。
【特許文献１】特開２００６−３３１０９９号公報
【発明の開示】
【発明が解決しようとする課題】
【００３１】
上記のとおり、特許文献１に記載の発明では、給油許可を与えるためにプリカの残高を一旦ゼロとすることが必要である。そのために、プリカの認証から残高をゼロに更新するまでの間、使用者はプリカを読取り機にかざしておく必要がある。あるいは、プリカの認証のタイミング（ステップＳ１１）と、残高をゼロに更新するタイミング（ステップＳ１２）の２度のタイミングにおいて、２度の読み取りを行なわす必要がある。
【００３２】
また、一般に給油所には、給油装置と共に、関連商品の販売を行なう店舗が併設されることが多い。しかし、特許文献１に記載の発明では、一旦プリカの残高をゼロとしてしまうために、給油終了後に釣銭に対応する残高のプリカへの書き込み処理（ステップＳ２０）をしていなければ、プリカの記録残高はゼロのままであるので、店舗での商品購入、あるいは、洗車等の付加的なサービスを受けることができないという不都合がある。
【００３３】
上記のごとき態様及び不都合は、顧客のプリカ利用における利便性を損ねるという問題がある。
【００３４】
さらに、特許文献１に記載の発明では、複数の店舗間におけるプリカの共通使用については記載があるものの、複数の店舗間での残高データの交信において通信障害、あるいは、支払い済み残高データの消し込み時に障害がある場合は、多重の残高支払いが行なわれてしまうという可能性があり、店舗側にとって、不利益となり、同時に顧客に対する信頼を損ねるという問題がある。
【００３５】
したがって、本発明の目的は、かかる非接触型のプリカを用い、商品提供後に清算処理を必要とする販売システムであっても顧客のプリカの利便性を失わずに、且つその利点を生かしつつ、盗難防止にも、後の釣銭支払いの事故防止にも対応した非接触プリペイドカードを使用する販売システムを提供することにある。
【課題を解決するための手段】
【００３６】
上記課題を解決するための本発明は、販売行為の終了まで販売品の量や金額が確定しない商品等の販売形態における非接触プリペイドカードを使用する販売システムにおいて、顧客の所有する非接触プリペイドカードに記録されている少なくとも当該非接触プリペイドカードを他と識別する識別ＩＤと商品購入可能残高とを含むカード情報データを、非接触プリカ処理機により読み取り、ＰＯＳ装置により前記顧客により指定される購入予定相当額を前記非接触プリペイドカードの商品購入可能残高から引き落とし、商品販売機により、前記ＰＯＳ装置により引き落とした購入予定相当額を限度とする商品等の供給制御を行い、前記ＰＯＳ装置により更に前記商品等の供給制御の終了に伴って、前記購入予定相当額と実供給額との差額である釣銭額を計算し、前記非接触プリカ処理機による前記非接触プリペイドカードのカード情報データの再度の読み取り時に、前記釣銭額を前記プリペイドカードの残高に加算させることにより支払うことを特徴とする。
【００３７】
本発明の第１の特徴は、前記商品購入可能残高から購入予定相当額を引き落とし、この時点でその残高の範囲で顧客が当該非接触プリペイドカードを他に利用可能とすることにある。
【００３８】
さらに、第２の特徴として第１の特徴の下に釣銭の支払いを確実にするため、前記カード情報データは、更に前記釣銭額の支払いが行われる都度歩進されるお釣通番を有し、前記非接触プリカ処理機は、前記ＰＯＳ装置側で記憶されている釣銭額を、前記識別ＩＤに対応する非接触プリペイドカードの残額に加算する様に構成できる。
【００３９】
また、第３の特徴として第２の特徴の下に、前記カード情報データは、更に前記購入予定相当額を前記非接触プリペイドカードの商品購入可能残高から引き落とす都度歩進される売上通番を有し、前記非接触プリペイドカードに記録された前記お釣通番と前記売上げ通番が同じ場合には、釣銭の支払いは完了していると判断し、前記お釣通番が前記売上げ通番よりも小さいときには、前記識別ＩＤに対応する非接触プリペイドカードの残額に未払いの前記釣銭額の加算を行なうように構成することができる。
【００４０】
さらに、特徴として、顧客による商品購入の際の商品指定入力を簡易とするべく、前回の商品購入の履歴データ及び、又は商品購入者による購入時の商品の組み合わせをお好みデータとして前記非接触プリペイドカードのカード情報データに加えて登録する。そして、顧客による商品購入の際に、前記履歴データ及び、又はお好みデータを表示して、前記プリペイドカードの残高の範囲で、顧客により選択される前記履歴データ又は、お好みデータに対応する購入商品の指定を可能とする。
【発明の効果】
【００４１】
本発明によれば、非接触プリカを使用する顧客に対して操作上の利便性を損なうことなく１つまたは複数の商品・サービスの購入（前記ガソリンスタンドにおいて、自動車燃料のガソリンの給油を行いつつ、灯油の購入も平行して行う）も可能とし、さらに複数店舗にまたがって利用する顧客に対しても正しくお釣の返金がなされ、かつ店舗側にとって顧客の不正による損失を防止することができる決済システムが実現される。
【発明を実施するための最良の形態】
【００４２】
以下に、本発明の実施の形態例を、図を参照しながら説明する。
なお、以降においては非接触プリペイドカードを単にプリカと適宜略して記載する。
【００４３】
図４は、本発明を適用するセルフサービス方式のガソリンスタンドの実施例ブロック図である。なお、以下の実施例説明において専ら商品として燃料油の販売を行うセルフサービス方式のガソリンスタンドを説明するが、販売に先立って、顧客の購入予定量／金額を予め指定する方式の販売システムであれば、本発明の適用は、かかるセルフサービス方式のガソリンスタンドに限定されない。
【００４４】
図４において、同一のプリカの利用を可能とする複数の店舗１Ａ、１Ｂ（図４には、例として２つの店舗Ａ、Ｂが示されている。）がデータセンター２に接続されている。店舗１Ａ、１Ｂはそれぞれ同様の構成であるので、以降単に店舗１と表記する。
【００４５】
店舗１は、販売管理装置（ＰＯＳ装置）１０と、これに接続される商品販売機である給油設備１１、非接触プリペイドカードから非接触でデータの読取り及び非接触プリペイドカードへの書込処理機能を有する非接触プリカ処理機１２及び、精算機１３を有している。
【００４６】
ここで、図４に示す実施例では、一の店舗１には給油設備１１、非接触プリカ処理機１２及び、精算機１３が、一台ずつ示されているが、本発明の適用はこれに限定されない。
【００４７】
精算機１３は、通常現金販売における釣銭支払い機として使用されるが、ここに非接触プリカ処理機能を内蔵または併設することにより、追加入金（チャージ）や、後述する本発明による釣銭のプリカへの書き込みによる返金処理、お好みデータ設定を行う装置とされる。
【００４８】
１つの店舗には、複数の商品販売機である給油設備１１、非接触プリカ処理機１２及び、精算機１３が、ＰＯＳ装置１０に有線あるいは無線を用いて、店舗内通信線またはＬＡＮ（以下、単に信号線という）を通して接続され、これらは機台番号でＰＯＳ装置１０において識別される。
【００４９】
インターネット等の通信ネットワークにより各店舗と繋がるデータセンター２には、サーバー２０が設けられる。図では、各店舗１とは別個にデータセンター２が配置される様に示されているが、いずれかの店舗内に、サーバー２０を配置する構成でも良い。
【００５０】
また、一店舗内における給油設備１１及び非接触プリカ処理機１２は、給油ポンプ対応に共通の１筐体ユニットとして構成されることも可能である。
【００５１】
図５は、図４に示すセルフ型式ガソリンスタンドの実施例におけるプリカを使用する商品購入手順を説明する図である。
【００５２】
また、図６は、図５の商品購入手順における非接触プリカ処理機１２とＰＯＳ装置１０間のデータの流れを説明する図である。
【００５３】
顧客は、商品販売機である給油設備１１に向かい、支払い方法を選択し、入力する（ステップＳ１００）。なお、この支払い方法の選択（ステップＳ１００）は、給油設備１１に配置される選択入力手段より顧客がマニュアル入力することにより行なわれる。あるいは、非接触プリカ処理機１２にプリカをかざし、プリカの情報を読みとらせることにより、支払い方法として、プリカによる支払いを入力したものとすることも可能である。
【００５４】
ついで、油種を選択し（ステップＳ１０１）、給油量または給油金額の指定即ち、商品購入予定額を入力する（ステップＳ１０２）。ついで、顧客は、プリカを非接触プリカ処理機１２にかざして決済処理を行う（ステップＳ１０３）。
【００５５】
本発明の第1の特徴はこのように購入予定額により決済処理を行うことにある。
【００５６】
なお、給油量または給油金額の指定の一方法として、いわゆる車両の給油タンクに給油できるまでの給油量を意味する「満タン」の指定が可能である。かかる場合は、プリカ残額の全て、又は所定の給油量例えば、５０リットルとする選択肢を可能とするように給油設備１１において制御することも可能である。
【００５７】
上記決済処理（ステップＳ１０３）について、更に図６により説明する。非接触プリカ処理機１２は、プリカから読み取ったプリカのカード情報データ１００（図６で「プリカ内部データ」と表記）は、カード識別ＩＤ、商品購入可能残高（以下単に、残高データと表記する）、及び「お釣通番」を有する。
【００５８】
本発明は、第２の特徴としてかかる「お釣通番」を用いて確実なお釣の支払いを実現する。図６に示す例では、その初期値として「１」に設定される。かかるお釣通番は、お釣の支払い処理が行われたときに歩進される数値である。
【００５９】
プリカから読み取ったプリカ内部データは、信号線を通してＰＯＳ装置１０に送られる。このとき、ＰＯＳ装置１０には、給油設備１１に指定した油種、給油量又は給油金額の指定値が送られている。
【００６０】
したがって、ＰＯＳ装置１０において、プリカから読取った残高データから給油指定量に対応する商品購入予定額である給油予定額を差し引いて決済処理を行い、更新された残高データを計算する。
【００６１】
これら更新された残高データが更新残高データとして信号線を通じて非接触プリカ処理機１２に送られる（処理工程Ｐ１）。これにより、非接触プリカ処理機１２は、ＰＯＳ装置１０から送られた更新残高データをプリカに書込み更新する。
【００６２】
したがって、更新されたプリカ内データ１０１は、残高が更新されている。すなわち、この決済処理が完了した状態でプリカに書き込まれているデータは、図６において、データ１０１に示すようであり、プリカの機別ＩＤがxxxx、更新された残高が8,000円、お釣通番１である。
【００６３】
更新プリカ内データ１０１のプリカへの書き込みが完了すると、その旨がＰＯＳ装置１０に通知される（処理工程Ｐ２）。
【００６４】
ＰＯＳ装置１０では、更新残高データのプリカへの書き込みの完了が通知されると、決済処理を確定し、プリカの識別ＩＤ対応にカード情報データ及び給油予定額（事前引き落とし額）を保存する（処理工程Ｐ３）。
【００６５】
図５に戻り、かかる決済処理が行われると給油操作が可能になり（ステップＳ１０４）、給油指定量又は指定金額までの給油が可能となる。給油指定量又は、指定額を限度として給油が終了すると（ステップＳ１０５）、ＰＯＳ装置１０は、給油設備１１から通知される実際の給油量に基づき給油料金を計算する。
【００６６】
この計算された給油料金が、給油設備１１に通知される。給油設備１１は、給油料金を打ち出したレシートを出力して（ステップＳ１０６）給油処理が終了する。
【００６７】
ここで出力されるレシートの例は、図７として後述する。お釣が発生しない場合には、処理はこれで終了する。
【００６８】
このとき、給油指定量又は指定額まで給油が行われずに、給油が途中で終了されるとき、あらかじめ差し引いた給油予定額と実給油料金との間に差額即ち、釣銭額が存在することになる。したがって、ＰＯＳ装置１０は、販売終了後に釣銭が発生すると（図６処理工程Ｐ４）、釣銭データ１０２を生成する（図６処理工程Ｐ５）。
【００６９】
図６において釣銭データ１０２として識別ＩＤがxxxxのプリカの釣銭額が500円であり、お釣通番１であることをＰＯＳ装置１０側で保持する
給油設備１１は、給油終了するとＰＯＳ装置１で決済されたデータに基づき給油設備１１は、レシートを発行する（ステップＳ１０６）。このレシートを発行する際に、釣銭の存在を顧客に通知するメッセージをレシートに書き込み、顧客に釣銭額の存在を通知する。
【００７０】
図７は、図５におけるステップＳ１０６で発行されるレシートの例を示す図である。図７（Ａ）は、お釣が発生していないときの伝票（レシート）、図７（Ｂ）は、お釣が発生しているときのレシートを示す図である。
【００７１】
すなわち、図７（Ａ）では、預かり金額が2,000円で給油分のガソリン価格が2,000円であるのでお釣が発生していない。図７（Ｂ）では、預かり金額が2,000円で、給油分のガソリン価格が1,500円であるので、500円分のお釣額が生じている。この場合、釣銭の存在を顧客に通知するメッセージ（図７（Ｂ）に示す例では、「上記精算額をお預かりしました。ご返金は、当伝票発行後５分以内に再度プリカを読取機にかざしていただくか、以後は当社系列ＳＳの精算機のご利用、もしくは次回のご利用時にお返しいたします。」）が記載される。
【００７２】
図５に戻り、お釣が生じている場合、非接触プリカを精算機１３にかざすと、発生している釣銭額を受け取ることができる（ステップＳ１０７）。
【００７３】
釣銭額を受け取る方法として、後に詳細に再度説明するが、プリカの残高に加算することにより受け取りが可能である。また、このように釣銭額の清算を行なった場合、後に説明するように「お釣通番」が歩進される。
【００７４】
なお、ステップＳ１０３で非接触プリカの情報データを読み取らせるために非接触プリカ装置１２にかざしてからお釣を受けとるために、非接触プリカ装置１２にプリカを再度かざす（ステップＳ１０７）までは、プリカは顧客の手元にある。したがって、本発明の第１の特徴として、かかるステップＳ１０３からＳ１０７までの期間においてもここで使用したプリカを他の商品あるいはサービスの購入のために残高の範囲で使用することが可能である。
【００７５】
さらに、図５において、所定時間（例えばレシートのメッセージに示された５分）内にお釣の受け取り処理を行わない場合は、釣銭データはサーバー２０に送られ（図示せず）後の機会に他の店舗を含む清算機１３でお釣を受取ることが可能である（ステップＳ１０８）。
【００７６】
かかる実施例処理により、非接触プリペイドカードを使用する販売システムにおいて、店舗側においては、顧客への商品の販売後において顧客からの代金収集が未処理となり不利を生じるということがない。
【００７７】
一方、顧客側にとっては、前述のように一の商品の購入中にも残高の範囲で他の商品あるいはサービスの購入が可能であり、釣銭がある場合には商取引後に直ちに釣銭がプリカに反映させることもできる。また、ＰＯＳ装置１０もしくは、サーバー２０にプリカの識別ＩＤと対応付けて釣銭額が保存されるので、後においても釣銭額をプリカに反映させることが可能である。かかる本発明の実施例に従い、店舗側及び顧客側の双方において、非接触プリペイドカードの利便性を有した商取引が可能となる。
【００７８】
図８は、図５の処理手順に対応して、釣銭が生じた場合で、給油終了後の所定時間(例えば、５分)内に、当該給油所で釣銭の支払いを受ける場合の処理を説明するシーケンス図である。
【００７９】
なお、図６の処理手順に対して図８では更に釣銭データの表示Ｃがなされているが、ＰＯＳ装置１０において記録保持され、あるいは、サーバー２０において記録保持される釣銭データを示している。ここでは説明を簡略化するため、1件のデータのみしか記載していないが、実際には複数のプリカＩＤに対応してお釣通番と釣銭額が組み合わされた複数のデータが存在しうる。
【００８０】
売り上げ伝票が発行されてから所定時間（例えば、５分以内）に顧客が非接触プリカ処理機１２にプリカをかざすと、非接触プリカ処理機１２から読み取られたカード情報データ(図８、１０１)の情報（プリカＩＤxxxx, 残高8,000円、お釣通番１１）がＰＯＳ装置１０に送られる（処理工程Ｐ６）。
【００８１】
ＰＯＳ装置１０は、非接触プリカ処理機１２から送られたカード情報データ１０１に基づき、プリカＩＤxxxxとお釣通番１１に対応する保存した釣銭データ１０２を検索し、プリカＩＤに対応する釣銭額が求められる（処理工程Ｐ７）。
【００８２】
これにより、ＰＯＳ装置１０は、先に読み取ったカード情報データ１０１の残高に、プリカＩＤxxxxとお釣通番１１に対応して検索された釣銭データの釣銭額（500円）を加算して残高を更新した残高データを生成する。このとき、お釣通番が１だけ歩進され、お釣通番は１２に更新される。そして、この更新された残高データを非接触プリカ処理機１２に送り（処理工程Ｐ８）、プリカのカード情報データを更新する（処理工程Ｐ９）。
【００８３】
あるいは、非接触プリカ処理機１２に釣銭額が通知される場合は、当該釣銭額に基づいて、非接触プリカ処理機１２によりプリカ残高を更新し、更にお釣通番を歩進し、更新された残高を有するカード情報データ１０３を生成する（処理工程Ｐ９）。そして、非接触プリカ処理機１２において生成されたカード情報データ１０３が、プリカに更新書き込みされるようにしてもよい。このように、ＰＯＳ装置１０と非接触プリカ処理機１２とは、共同して更新するカード情報データを生成すればよいのであって、本発明は以下の記述においてもこの役割分担を限定するものではない。
【００８４】
ついで、ＰＯＳ装置１１は、非接触プリカ処理機１２から、プリカへの更新が完了した旨を通知されると、返却した釣銭データ１０２の消しこみを行い（処理工程Ｐ１０）、釣銭処理を完了する。
【００８５】
なお、顧客が非接触プリカ処理機１２ではなく、精算機１３（前述のように非接触プリカ処理機能を内蔵もしくは併設している場合）でカードをかざした場合でも同様に処理が可能である。
【００８６】
ここで、上記実施例において、お釣通番を採用する理由は、先に説明した様に支払いが既に行なわれている場合に、再度の同一の釣銭の支払いが行なわれることを回避するためである。
【００８７】
すなわち、図８において、ＰＯＳ装置１０では、非接触プリカ処理機１２から送られたカード情報データ１０１における識別ＩＤに基づき、ＩＤxxxxに対応する保存した釣銭データ１０２を検索し、識別ＩＤとお釣通番に対応する釣銭データが求められる（処理工程Ｐ７）。
【００８８】
すなわち、カード情報データ１０１におけるお釣通番と、保存されている釣銭データ１０２のお釣番号とを比較し、一致する場合のみ釣銭の支払いを可能にする。もし、カード情報データ１０１に対して、これよりお釣通番が少ない釣銭データ１０２が存在する場合は、これ以前の釣銭支払い処理において、プリカに対して釣銭の支払いが実行されたにもかかわらず、何らかのシステム上の事情等で釣銭データが処理済とされていないことを意味する。このように、お釣通番が採用されることによって、二重のお釣支払いが回避される。支払いを完了した釣銭データ１０２は削除される（処理工程Ｐ１０）。
【００８９】
この本発明の第２の特徴であるお釣通番を使用する方式においては、釣銭データは一元的に管理されるのが望ましい。先に図４において説明したように、同一プリカの利用を可能とする複数の店舗が別々に存在する場合、釣銭データを通信により複数の店舗に配信し、この釣銭データを使用してそれぞれの店舗で釣銭の支払いを可能とした場合には、一部の釣銭が正しく支払いができない場合が発生する。
【００９０】
一例として、同一のお釣通番で複数の釣銭データが存在する（つまり、複数回の商品購入の機会に対して、複数回の釣銭が発生しているのに釣銭を受け取っていない）場合に、データセンター２から各店舗への配信において通信障害で一部の釣銭情報が欠落している店舗が存在する場合を考える。
【００９１】
この欠落したデータを保有する店舗において、顧客がプリカの釣銭を受領しようとすると、当該店舗では欠落していない釣銭データの分のみが支払われプリカのお釣通番も歩進される。すなわち、残りの同一お釣通番の釣銭データは、お釣通番がもはや最新ではないために支払われる機会を失う。このような事態を避けるためには、複数の店舗が存在する場合には、データセンター２から各店舗に釣銭データを配信し各々の店舗で保存した釣銭データを使用して釣銭支払処理を行うのではなく、データセンター２のサーバー２０内で一元的に管理し必要の都度問い合わせにより釣銭データを取得して釣銭支払処理を行うのが望ましい。
【００９２】
次に本発明の第３の特徴では、前記お釣通番に加えて商品購入予定額が残高から引き落とされたときに歩進されるパラメータである売上通番を用いる。かかる売上通番を用いることにより、例えば、同一系列の複数の店舗が別々に存在し、それぞれで釣銭データを共有する場合、商品購入機会が複数回あり、その都度釣銭が発生しているときに釣銭データの通信が必要であるが、その通信の際にデータ欠落があったとしても確実に釣銭を返却でき、二重支払いを防止できる。またプリカに対する最新の釣銭の返金処理が既に完了しているか否かも容易に判断できる。
【００９３】
図９は、かかる売上通番の歩進について説明するフロー図である。図５、図６の処理と対応して説明する。
【００９４】
プリカにはカード情報データとして少なくとも識別ＩＤ、商品購入可能残高、売上通番、お釣通番が記録されており、ＰＯＳ装置側（データセンター側であることも含む）の釣銭データには、少なくともプリカ識別ＩＤに関係付けられて、売上通番、釣銭額が保存されている。
【００９５】
図５において、支払い方法の選択（ステップＳ１００）で非接触プリペイドカードが選択された後、油種の選択（ステップＳ１０１）、給油量または金額を指定して商品購入予定額の入力が行われる（ステップＳ１０２）。プリカをかざす処理（ステップＳ１０３）により、プリカ内部データであるカード情報データを非接触プリカ処理機１２により読み込む。読み込まれたカード情報データ２０１は、図９の例では、プリカの識別ＩＤがxxxxであり、プリカ残高が10,000円、そして初期値として売上通番１、お釣通番１が付与されている。
【００９６】
この商品購入予定額と読み込んだプリカ内部データである図９に示すカード情報データ２０１がＰＯＳ装置１０に送られる（処理工程Ｐ１０）。
【００９７】
ＰＯＳ装置１０は、カード情報データ２０１の識別ＩＤに基づき、プリカが真性であるか否かを判断し、真性であれば、選択された油種および指定された給油量または金額の指定に基づき、プリカ残高から指定された給油量に見合う給油購入予定金額（図９の例では2,000円）を求め、カード情報データ２０１における残高から減算して残高を更新する。この際、売り上げ通番を更新し(１歩進して、２とする)、記録保持する（処理工程Ｐ１１）。そして、更新された残高と売上通番とを非接触プリカ処理機１２に通知する（処理工程Ｐ１１Ａ）。
【００９８】
この通知に基づき、非接触プリカ処理機１２は、通知された更新残高と、更新された売上通番を更新データとしてプリカに書き込む。したがって、更新されたプリカ内部データは、カード情報データ２０２の内容となる。すなわち、残高が8,000円に変更され、売上通番は２に歩進されている。
【００９９】
プリカに更新データが書き込まれると、更新完了がＰＯＳ装置１０に通知される（処理工程Ｐ１２）。ＰＯＳ装置１０は、更新完了を通知されると、給油設備１１に対し、指定された給油量／金額を限度とする給油許可信号を送る。
【０１００】
ついで、給油が終了すると、給油設備１１から給油販売終了と、実給油量がＰＯＳ装置１０に通知される。
【０１０１】
ＰＯＳ装置１０は、給油終了を通知されると、実給油量に基づき実給油金額を計算し、先に引き落とした金額2,000円との差額即ち、釣銭額を計算する（処理工程Ｐ１３）。図９の例においても、実給油金額が1,500円で釣銭額500円が発生した例である。
【０１０２】
ＰＯＳ装置１０は、この計算された釣銭額に基づき釣銭データ２０３を生成し、カード識別ＩＤ対応にＰＯＳ装置１０内もしくは、サーバー２０に記録保存する（処理工程Ｐ１４）。釣銭データ２０３には、カード識別ＩＤxxxx、釣銭額500、売上通番２の情報が含まれる。
【０１０３】
図１０は、図９において説明した売上げ通番の利用を説明する図である。特に、複数の店舗が存在し、商品購入機会が複数回あった場合の釣銭処理を説明するシーケンスフローである。
【０１０４】
図１０において、釣銭データとして、複数回の商品購入処理に対応する釣銭データに基づき、釣銭データ・テーブル３００には識別ＩＤに対応して売上通番と釣銭額が登録されている。図１０に示す例では、図９の取引とその後に１,０００円の合計２回の商品購入取引があったとし、同一の識別ＩＤxxxxに対応する売上通番２、３とそれらに対応する釣銭額500円と0円が登録されている。すなわち、釣銭額が0円である場合も、釣銭データ・テーブル３００に売上通番に対応して記録される。
【０１０５】
顧客から釣銭返却の要求（給油予約時以外での非接触プリカ処理機１２にプリカをかざす行為、あるいは図５のステップＳ１０８で非接触プリカ処理機１２にプリカをかざす行為などを指す）があると、図１０において、非接触プリカ処理機１２はカード情報データ２０４を読み取り、ＰＯＳ装置１０に送る（処理工程Ｐ２０）。
【０１０６】
ＰＯＳ装置１０は、保存されている釣銭データ・テーブル３００を参照し、識別ＩＤが一致し、カード情報データ２０４のお釣通番の値より大きい売上通番の釣銭額を検索する。図１０に示す例では、釣銭データ・テーブル３００に保存されているのは、いずれもお釣通番１よりも大きい売上通番２、３である。従って、これらに対応する釣銭額500円、0円を求め、この釣銭額の合計500円と、件数２件が求められる。（処理工程Ｐ２１）。
【０１０７】
ＰＯＳ装置１０は、返金額500円の情報と件数（＝２）を非接触プリカ処理機１２に通知する（処理工程Ｐ２２）。非接触プリカ処理機１２は、カード情報データ２０４の残高に返金額を加え、新たな残高を7,500円とする。さらに、件数（＝２）の情報によりお釣通番を２つ歩進して３としてプリカに更新記録する（処理工程Ｐ２３）。プリカ内部のカード情報データは２０６のように更新される。
【０１０８】
ついで、ＰＯＳ装置１０は、プリカが更新された旨の通知を受けると、釣銭データ・テーブル３００における識別ＩＤxxxxの売上通番２、３と対応する釣銭額の500円、0円の情報の消しこみを行なう（処理工程Ｐ２４）。
【０１０９】
ここで、更新されたカード情報データ２０６における売上通番と、お釣通番は一致している。このように売上通番とお釣通番が等しい場合は、既に全ての釣銭の返金処理が完了していることを意味する。
【０１１０】
すなわち、本発明の第３の特徴における利点として、釣銭受け取りの際、プリカ内の「売上通番＝お釣通番」の比較のみで最新のお釣返金処理が既に完了しているかどうかが判断できる。
【０１１１】
また、プリカ内の売上通番（最新の取引）に対応する釣銭は同一売上通番である釣銭データであることから、精算機１３に非接触プリカ処理機を内蔵させ、この機器に釣り銭データを保有させて顧客に釣銭を返却する場合などでは、非接触プリカ処理機自体で最新の釣銭データが存在するかどうかを認識することができるため、非接触プリカ処理機自体に釣銭データが非接触プリカ処理機に存在しない場合、例えばデータセンター２に最新のデータを要求する処理を行うことで、定期的なデータセンター２からの配信が無くとも最新の釣銭を含めた金額を返金することができるようになる。
【０１１２】
釣銭データの売上通番は連続しているため、各店舗に釣銭データを配信する方式とした場合においても、各店舗で保有する釣銭データの売上通番の連続性を確認することによりデータの欠落が認知できる。したがって、その欠落したデータの補充をデータセンター２に要求することにより欠落が防止できる。
【０１１３】
また、データセンター２との一時的な通信が不能等により欠落したデータの補充ができない場合でも、欠落したデータのお釣通番より少ないお釣通番までの釣銭のみを返却しお釣通番を更新するようにすることで、二重の釣銭支払いを防止しながら釣銭が全く支払われない状態も回避できる。
【０１１４】
このように、売上通番、お釣通番の２つのパラメータを使用した場合には、複数店舗と釣銭データに関するデータセンターとがネットワークで接続される販売システムにおいて、非接触プリペイドカードを利用した取引の釣銭支払いを確実にすることができる。
【０１１５】
なお、釣銭の支払いが終了した釣銭データの消し込みについては、売上通番の連続性確認のため抹消するのではなく支払済みフラグ（図示せず）を設けるなど、少なくとも売上通番の連続性確認が可能な方法でデータを残存することが望ましい。
【０１１６】
ここで、本発明の適用において、図５のステップＳ１０７で行なわれる清算機１３での釣銭取得動作の際に、同時に追加入金の処理を可能とするようにしてもよい。図１１は、かかる釣銭取得動作と追加入金の処理を同時に行なうことを可能とする場合の処理手順の処理フローである。
【０１１７】
図１１において、顧客がプリカを清算機１３にかざし、カード情報データ（プリカ識別ＩＤ、残高、お釣通番、売上通番を含む）を読み取らせる（ステップＳ２００）。清算機１３は、売上げ通番とお釣通番が一致するか否かを判定する（ステップＳ２０１）。
【０１１８】
売上げ通番とお釣通番が一致する場合（ステップＳ２０１、Ｙｅｓ）は、既に全てのお釣の支払い処理が行われているので、お釣支払い処理は行わずにメッセージ（例えば、お預かりしている釣銭はありません）を表示する（ステップＳ２０２Ａ）。
【０１１９】
さらに、追加的に追加入金を促す追加メッセージ（例えば、カードの残高は8,000円です。追加入金をしますか？）を表示する（ステップＳ２０２Ｂ）。
【０１２０】
かかる追加メッセージに対して、Ｙｅｓ、又はＮｏの指定を判定する（ステップＳ２１０）。
【０１２１】
Ｎｏの指定であれば（ステップＳ２１０、Ｎｏ）、処理を終了する。
【０１２２】
Ｙｅｓの指定であれば（ステップＳ２１０、Ｙｅｓ）、入金額を確認し（ステップＳ２１１）、入金確認メッセージ（例えば、10,000円の入金です。カード残高を18,000円に更新します。）を表示する（ステップＳ２１２）。
【０１２３】
かかるメッセージに基づき、プリカを清算機１３にかざすと残高を更新し（ステップＳ２１３）、取引レシートを出力する（ステップＳ２１４）。
【０１２４】
一方、ステップＳ２０１で、売上げ通番とお釣通番が等しくないとき（ステップＳ２０１、Ｎｏ）は、未清算のお釣があるので、読み取ったプリカ情報についてメッセージ(例えば、カード残高は8,000円です。お預かり釣銭額を確認中です。)を表示する（ステップＳ２０３Ａ、３０３Ｂ）。
【０１２５】
かかるメッセージの表示中に、清算機１３は自店舗のＰＯＳ装置１０、若しくはサーバー２０にアクセスして釣銭額データを取得し（ステップＳ２０４、メッセージ（例えば、釣銭額は500円です。追加入金しますか？）を表示する（ステップＳ２１５）。
【０１２６】
かかる追加メッセージに対して、Ｙｅｓ、又はＮｏの指定を判定する（ステップＳ２１６）。
【０１２７】
Ｎｏの指定であれば（ステップＳ２１６、Ｎｏ）、プリカを清算機１３にかざし、残高及びお釣通番を更新し（ステップＳ２１３）、取引レシートを出力する（ステップＳ２１４）。
【０１２８】
一方、ステップＳ２１５のメッセージに対し、Ｙｅｓの指定であれば（ステップＳ２１６、Ｙｅｓ）、入金額を確認し（ステップＳ２１７）、入金確認メッセージ（例えば、10,000円の入金です。カード残高を18、500円に更新します。）を表示する（ステップＳ２１８）。
【０１２９】
かかるメッセージに基づき、プリカを清算機１３にかざすと残高及びお釣通番を更新し（ステップＳ２１３）、取引レシートを出力する（ステップＳ２１４）。
【０１３０】
図１２は、図１１において、ステップＳ２１４で出力される取引レシートの例であり、釣銭支払い及び追加入金があるときの例である。
【０１３１】
プリカ残高と、預かり釣銭額及び追加入金額が記録され、これらの総額が更新後プリカ残高として記録して出力される。
【０１３２】
なお、本発明における売上通番、お釣通番は１０進整数を例として説明したが、時系列による前後関係が判定できれば良いのでこれに限定されるものではなく、１６進数など他の値や一定の約束事項に基づく記号、一定値を限度とする循環数（例えば、１００００に次は１に戻る）などを利用することができる。
【０１３３】
また、釣銭の支払いにおいては、プリカ残高に加算する方法のみを例示したが、現金で返金する場合には、プリカ残高は変更せず、お釣通番のみを更新するように運用できる。
【０１３４】
ここで、商品購入に当たっては、一般に前回購入時と同じ商品を購入する場合、あるいは、商品の組み合わせ等好みの特定された商品を繰り返して購入する場合がある。
【０１３５】
かかる場合、プリカを使用して商品購入を行う場合であっても、商品購入の都度、前回購入時と同じ商品あるいは好みの特定された商品購入のために同様の繰り返し入力が必要となる。
【０１３６】
したがって、顧客にとっては、プリカ使用の利便性を損なうわずらわしさを感じることになる。
【０１３７】
本発明は、実施例としてかかる不都合を改善することが可能である。図１３〜図１５は、上記の前回購入時と同じ商品あるいは好みの特定された商品購入の際に、同様の繰り返し入力を必要とすることを解消する実施例の一連の処理フロー図である。
【０１３８】
図１３において、顧客は、給油設備１１において、支払い方法を選択する（ステップＳ３００）。この支払い方法の選択で、非接触プリカによる支払いを選択した場合を想定する。
【０１３９】
非接触プリカによる支払いの選択に対応して、給油設備１１は、例えば、「お好みデータ、あるいは前回の購入履歴を使用する場合は、カードの残高確認、追加入金をする場合は最初にカードをプリカ処理機１２にかざしてください。」とのメッセージを表示する（ステップＳ３０１）。
【０１４０】
ここで、お好みデータ、あるいは前回の購入履歴は、顧客により事前に設定され、あるいは直近の顧客の取引に基づき生成された情報であり、例えば、図１６に示すようなテーブルが非接触プリカに登録記録されている。
【０１４１】
図１６に示す例では、前回購入履歴記録欄Iに、サービスカテゴリー（例えば給油、洗車）に対応して前回購入された商品に関してのデータ(情報１,２…)が記録されている。例えば、「レギュラーガソリン：5,000円、ワックス洗車：下部洗車あり」の前回購入履歴データが保存されている。
【０１４２】
さらに、お好みデータ記録欄IIに、顧客により設定された好みの商品の組み合わせが記録されている。例えば、「給油についてはレギュラーガソリン：2,000円、洗車についてはコーティング洗車：下部洗車あり」の組み合わせデータがお好みデータとして非接触プリカに記録されている。
【０１４３】
ここで、上記のお好みデータは、実施例として、図１７に示す処理フローに従い生成される。なお図１７は、図５における給油設備１１での支払い方法の選択Ｓ１００に替えて、「お好みデータ設定」（ボタンについては表示せず）を押した場合の処理フローである。また、精算機１３（非接触プリカ処理機能を内蔵もしくは併設している）での利用においては、最初に「お好みデータ設定」（ボタンについては表示せず）を押した場合の処理フローである。
【０１４４】
すなわち、図１７において、「お好みデータ設定」処理の選択後、非接触プリカ処理機１２あるいは精算機１３にプリカをかざしデータの読取を行わす（ステップＳ４００）。
【０１４５】
給油設備１１あるいは、精算機１３は読み取った「お好みデータ」に基づき次のようなメッセージを表示する（ステップＳ４０１）
「メッセージ:お客様の『お好みデータ』は次の通りです
給油：レギュラーガソリン  2,000円
洗車：コーティング洗車  下部洗車あり
変更する場合は「変更」ボタン、中止は「キャンセル」ボタンを押してください。」
なお、「お好みデータ」が生成されていなければ、「給油：レギュラーガソリン  2,000円、洗車：コーティング洗車  下部洗車あり」の表示に代わりに、「お好みデータが登録されていません。」等の表示が行われる。
【０１４６】
図１７において、給油設備１１あるいは、精算機１３は、ステップＳ４０１の表示の後、「変更」又は「キャンセル」の何れかの入力を待つ（ステップＳ４０２）。
【０１４７】
「キャンセル」ボタンの押下により「キャンセル」が入力されると（ステップＳ４０２Ａ）、お好みデータの更新処理は終了する。
【０１４８】
「変更」ボタンの押下により「変更」が入力されると（ステップＳ４０２Ｂ）、給油のお好みデータ変更受付処理（ステップＳ４０３）、洗車のお好みデータ変更受付処理（ステップＳ４０４）が行われる。
【０１４９】
かかるステップＳ４０３、Ｓ４０４の処理において、お好みデータが新規に入力、又は変更され、顧客がプリカを精算機１３にかざすことにより、前述の新規に生成したあるいは、変更したお好みデータがプリカの購入指定エリア、即ち図１６のテーブルのお好みデータ欄IIに書き込まれ（Ｂ２）、処理を終了する。
【０１５０】
図１３に戻り、顧客がプリカ処理機１２にカードをかざして、カードＩＤ，売上げ通番、お釣通番、残高及び購入指定エリアの読取を実行させる（Ａ０）。
【０１５１】
給油設備１１は、プリカ処理機１２により読み取ったデータに基づき、データセンター２、又は自店舗のＰＯＳ１０からカードＩＤに対応する顧客情報を入手して先ず「売上げ通番客」と「お釣通番」が一致しているか否かを判断する（ステップＳ３０２）。
【０１５２】
「売上げ通番」＝「お釣通番」であれば（ステップＳ３０２、Ｙｅｓ））、先に説明したように釣銭処理は完了している。したがって、給油設備１１は、図１６に示した「顧客の前回購入履歴」及び「お好みデータ」に基づき、次のようなメッセージを表示する（ステップＳ３０３）。
「お預かりしている釣銭はありません。
【０１５３】
カード残高は、4,500円です
３通りの購入メニューから選択してください。  
【０１５４】
１．前回給油条件：レギュラーガソリン  5,000円
２．お好み給油条件：レギュラーガソリン  2,000円
３．別の条件で給油する。」
かかるメッセージに対応して、顧客によって、上記の何れかのメニューの選択が行われる。
【０１５５】
給油設備１１は、上記の３通りのそれぞれのメニューのいずれかの選択に対して以下のように処理を制御する。
【０１５６】
第１に、「１．前回給油条件：レギュラーガソリン  5,000円」及び「２．お好み給油条件：レギュラーガソリン  2,000円」というメニューの何れかが選択されたときは、指定金額と残高との過不足を計算する（ステップＳ３０４）。
【０１５７】
残高不足の場合は、追加入金またはキャンセルを促す（ステップＳ３０４ａ）。また、残高不足でない場合は、追加入金する/しないの選択を促す（ステップＳ３０４ｂ）。「キャンセル」が選択入力される（Ｓ３０４ａ）と、処理ステップＳ３０３の表示を繰り返す。
【０１５８】
キャンセルの選択入力が無いと、「入金する/しない」が選択入力される（Ｓ３０４ｂ）。そして、追加入金があったか否かを判定する（ステップＳ３０５）。
【０１５９】
「追加入金しない」の判定である場合（ステップＳ３０５、Ｎｏ）、顧客により非接触プリカをかざして決済が行われ、プリカデータにおいて給油条件の設定、前回購入履歴、売上げ通番が更新される（Ａ１）。
【０１６０】
「追加入金する」の指示である場合（ステップＳ３０５、Ｙｅｓ）、入金額を確認し（ステップＳ３０６）、入金額と残高の確認メッセージを表示する（ステップＳ３０７）。その際、プリカを再度、プリカ処理機１２にかざすことを要求する。
【０１６１】
これによりプリカ処理機１２は、給油条件の設定、前回購入履歴、売上げ通番のそれぞれを更新して、プリカに書き込む（Ａ１）。
【０１６２】
一方、ステップＳ３０３において、第３のメニュー即ち、「３．別の条件で給油する。」が選択されると、給油設備１１は、顧客に油種の選択（ステップＳ３０８）、給油量または金額を指定させる（ステップＳ３０９）。
【０１６３】
ここで、追加入金があると（ステップＳ３１０、Ｙｅｓ）、先に説明した入金額確認（ステップＳ３０６）、入金額及び残高の表示を行って（ステップＳ３０７）、プリカ処理機１２は、給油条件の設定、前回購入履歴、売上げ通番のそれぞれを更新して、プリカに書き込む（Ａ１）。
【０１６４】
さらに、図１３のフローにおいて、先のステップＳ３０２の処理で、「売上げ通番」と「お釣通番」が不一致のときは（ステップＳ３０２、Ｎｏ）、図１４の処理に継続する。
【０１６５】
図１４の処理において、「売上げ通番」と「お釣通番」が不一致しているので、釣銭額が存在している。したがって、給油設備１１は、「釣銭額を確認中です。」のメッセージを表示する（ステップＳ３１１）。
【０１６６】
このメッセージ表示期間に、データセンター２又は自店舗ＰＯＳ１０（図４参照）に釣銭額情報を問い合わせる（ステップＳ３１２）。
【０１６７】
このように釣銭額情報が得られると、以降図１３のステップＳ３０３以降の処理と同様の処理が行われる。
【０１６８】
なお、図１４に示す例では、「売上げ通番」と「お釣通番」が不一致である場合に処理が行われるので、データセンター２又は自店舗ＰＯＳ１０から得られる釣銭額情報により釣銭額が存在している。したがって、ステップＳ３０３におけるメッセージとして、例えば「釣銭額５００円分が存在します。」等の表示が行われる。
【０１６９】
その余の処理は、先に図１３について説明したと同様である。
【０１７０】
さらに、図１３（図１４においても同様）において、上記Ａ１の処理が終わると図１５の処理フローに継続する。
【０１７１】
すなわち、指定された給油条件に従って、給油操作が行われ（ステップＳ３１３）、指定の給油量若しくは、指定金額まで、給油が行われる（ステップＳ３１４）。
【０１７２】
次いで、給油が終了すると、給油に対するレシートを出力する（ステップＳ３１５）。
【０１７３】
この際、お釣りがある場合は、顧客はプリカに釣銭をプリカ処理機にかざして、釣銭の受け取りを行なう（Ａ２）。
【０１７４】
なお、非接触プリペイドカードの購入指定エリアに格納された前回購入履歴／お好みデータにおけるカテゴリー「洗車」のデータについては、図示しない洗車機での当該カードの利用において使用される。
【０１７５】
すなわち、図示しない洗車機は、給油設備１１と同様にＰＯＳ１０と接続され、洗車機の傍にも図示しない非接触プリカ処理機が設置されている。
【０１７６】
ここでは、洗車メニューの指定と、代金清算、洗車、釣銭処理が、給油装置１１で行われるのと同様に処理がなされる。
【０１７７】
すなわち、図１３に対応して洗車を行う場合、処理ステップＳ３０３に対応して、
１．前回の洗車条件：ワックス洗車、下部洗車あり
２．お好みの洗車条件：コーティング洗車、下部洗車あり
３．別の条件で洗車する
という様に、切り替えた表示が行われる。
【０１７８】
上記実施例では、非接触プリペイドカードの指定エリアに、前回購入履歴及びお好みデータを記録保持することとしているが、この購入指定エリアの情報を前述のカード毎の識別ＩＤに対応したテーブルとしてＰＯＳ装置又はデータセンター２に備え、必要の都度、読み出して使用する構成とすることも可能である。
【０１７９】
かかる場合は、図１７の工程Ｂ１は、識別ＩＤの読取りとＰＯＳ装置１０又はデータセンター２からの当該データの取得となる。さらに、工程Ｂ２は、ＰＯＳ装置１０によりデータセンター２を更新制御するステップとなる。
【図面の簡単な説明】
【０１８０】
【図１】磁気的に接触させて残高の読み取り、書込更新を行わせる接触型のプリペイドカードを用いる給油システムにおける清算手順の例を示すフローである。
【図２】非接触型のプリカを用いる給油システムの場合の清算手順の例を示すフローである。
【図３】特許文献１に記載された発明の処理手順をセルフサービス方式のガソリン給油を例にして説明するフローである。
【図４】本発明を適用する例として、セルフ型式ガソリンスタンドの実施例ブロック図である。
【図５】図４に示すセルフ型式ガソリンスタンドの実施例における非接触プリペイドカードを使用する本発明の第１の特徴を含む商品購入手順を説明する図である。
【図６】図５の商品購入手順における非接触プリカ処理機１２とＰＯＳ装置１０間のデータの流れを説明する図である。本発明の第２の特徴を含む。
【図７】図５におけるステップＳ１０６で発行されるレシートの例を示す図である。
【図８】図５の処理手順に対応して、釣銭が生じた場合で、給油終了後の所定時間(例えば、５分)内に、当該給油所で釣銭の支払いを受ける場合の処理を説明するシーケンス図である。
【図９】本発明の第３の特徴である売上通番の歩進について説明するフロー図である。
【図１０】図９において説明した売上げ通番の利用を説明する図である。
【図１１】釣銭取得動作と追加入金の処理を同時に行なうことを可能とする場合の処理手順の処理フロー図である。
【図１２】図１１において、ステップＳ２１４で出力される取引レシートの例である。
【図１３】前回購入時と同じ商品あるいは好みの特定された商品購入のための同様の入力の必要性を解消する実施例の一連の処理フロー図（（ステップＳ３００〜Ｓ３１０）である。
【図１４】前回購入時と同じ商品あるいは好みの特定された商品購入のための同様の入力の必要性を解消する実施例の一連の処理フロー図（（ステップＳ３１１〜Ｓ３１２）である。
【図１５】前回購入時と同じ商品あるいは好みの特定された商品購入のための同様の入力の必要性を解消する実施例の一連の処理フロー図（（ステップＳ３１３〜Ｓ３１５）である。
【図１６】前回の購入履歴及びお好みデータを登録しているテーブルを示す図である。
【図１７】お好みデータを生成する処理フローの例を示す図である。
【符号の説明】
【０１８１】
１  店舗
２  データセンター
２０  サーバー
１０  ＰＯＳ装置
１１  給油設備
１２  非接触プリカ処理機
１３  精算機
【図１】
0004929219.tif 000002
【図２】
0004929219.tif 000003
【図３】
0004929219.tif 000004
【図４】
0004929219.tif 000005
【図５】
0004929219.tif 000006
【図６】
0004929219.tif 000007
【図７】
0004929219.tif 000008
【図８】
0004929219.tif 000009
【図９】
0004929219.tif 000010
【図１０】
0004929219.tif 000011
【図１１】
0004929219.tif 000012
【図１２】
0004929219.tif 000013
【図１３】
0004929219.tif 000014
【図１４】
0004929219.tif 000015
【図１５】
0004929219.tif 000016
【図１６】
0004929219.tif 000017
【図１７】
0004929219.tif 000018